(57)【特許請求の範囲】
【請求項１】
携帯電子機器の本体に電力を供給するプラス端子及びマイナス端子からなる電極端子を設けるとともに、前記本体に取り付け部材を用いて装着されて前記電極端子に圧接して内部に収納したバッテリの電力を供給するプラス接続端子及びマイナス接続端子からなる接続端子を有したバッテリケースを備える外部バッテリ装置において、
前記プラス接続端子またはマイナス接続端子のいずれか一方或いは両方の接続端子は一端を前記バッテリケース内から外側に出没可能に装着するとともに、前記取り付け部材を用いた前記本体への取り付け動作に伴って出没可能な前記接続端子が前記バッテリケースの外側に突出して前記本体の電極端子と圧接するように設け、前記接続端子は、前記プラス接続端子またはマイナス接続端子のいずれか一方の一端が前記バッテリケースの外側に出没可能に装着されて前記取り付けビスの締結によって埋没位置から突出位置に動作するように設け、他方の一端は前記バッテリケース内の外側近傍まで突出させた状態に配置していることを特徴とする外部バッテリ装置。
【請求項２】
請求項１に記載の外部バッテリ装置において、
前記電極端子は、前記本体内から側面に配置する前記プラス端子またはマイナス端子のいずれか一方を突出させて他方を凹状に形成することでショートを防止することを特徴とする外部バッテリ装置。
【発明の詳細な説明】
【０００１】
【発明の属する技術分野】
本発明は外部バッテリ装置に係り、より詳細にはバッテリを内蔵したバッテリケースを携帯電子機器の本体に取り付けてバッテリケースのバッテリから接続端子を介して本体の電極端子に電力を供給する外部バッテリ装置に関する。
【０００２】
【従来の技術】
従来、携帯電子機器には、使用者が本体を屋外で長時間使用する際、この本体の外部にバッテリを内蔵したバッテリケースを装着し、このバッテリケースから本体に電力を供給する外部バッテリ装置がよく知られている。この従来の外部バッテリ装置は、例えば、ＣＤ、ＭＤなどの媒体を再生する携帯電子機器によく使用されており、バッテリを収納したバッテリケースを携帯電子機器の本体に取り付けた際に、本体側の電極端子とバッテリケース側の接続端子とが確実に接続されることが要求される。図４は、このような携帯電子機器に採用した従来の外部バッテリ装置を示す構成図である。また、図５は、図４に示した本体２０にバッテリケース３０を取り付けた状態を示す図である。
【０００３】
図４に示すように、携帯電子機器に採用した従来の外部バッテリ装置は、所定面に電力を供給する電極端子２４を配置した携帯電子機器の本体２０と、この本体２０に取り付けビス３４の締結により固定されて、接続端子３２を介して内部に収納したバッテリ３８の電力を本体２０の電極端子２４に供給するバッテリケース３０とを備えている。
ここで、本体２０は、内部に所定の回路を形成したプリント基板２２を収納しており、このプリント基板２２に外部から電力を供給する電極端子２４を実装して外側に露出するように配置している。この電極端子２４は、本体２０の外側に向かって突出するプラス端子２４ａとマイナス端子２４ｂとを備えている。また、本体２０には、電極端子２４の近傍にネジ穴を備えたナット２６を配列するように配置している。
【０００４】
一方、バッテリケース３０には、所定面に突出する一対の凸部３０ａを一体に形成し、この凸部３０ａが本体２０の電極端子２４に嵌入するように形成している。また、バッテリケース３０の内部には、本体２０の電極端子２４に電力を供給するバッテリ３８と、このバッテリ３８の両端に各々延在して電気的に接続する接続端子３２とを備えている。この接続端子３２は、バッテリ３８のプラス極３８ａ側に延在して電気的に接続するプラス接続端子３２ａと、このバッテリ３８のマイナス極３８ｂ側にコイル状に延在して付勢力によりバッテリ３８をプラス接続端子３２ａ側に押すマイナス接続端子３２ｂとを備えている。また、接続端子３２は、プラス接続端子３２ａ及びマイナス接続端子３２ｂがバッテリ３８の両端から各々延在して凸部３０ａ内に突出するように配置している。この接続端子３２は、プラス接続端子３２ａ及びマイナス接続端子３２ｂの各々が凸部３０ａの先端から図４に示した幅Ｆの位置に配置されており、プラス接続端子３２ａとマイナス接続端子３２ｂとが接触してショートすることを防止している。そして、バッテリケース３８には、内側からマイナス接続端子３２ｂ及び側面を介して外側に延在して突出する取り付けビス３４を設けてある。この取り付けビス３４は、本体２０のナット２６に締結することで、本体２０にバッテリケース３０を装着し、電極端子２４と接続端子３２とを接続した状態に固定することができる。
【０００５】
このような構成による携帯電子機器に採用した従来の外部バッテリ装置は、本体２０の所定位置にバッテリケース３０を装着する場合、まず、図４に示したように、バッテリケース３０の取り付けビス３４及び凸部３０ａを、本体３０のナット２６及び電極端子２４に各々合わせて本体２０とバッテリケース３０とを装着する。ここで、バッテリケース３０は、取り付けビス３４を回転させて本体２０のナット２６に締結することで徐々に本体２０側に引き寄せられて固定される。この際、本体２０の電極端子２４は、図５に示すように、プラス端子２４ａ及びマイナス端子２４ｂの各々がバッテリケース３０の凸部３０ａ内に挿入されてバッテリケース３０の接続端子３２に当接してプラス接続端子３２ａ及びマイナス接続端子３２ｂの弾性力により押圧が加わり圧接した状態で電気的に接続される。このようにバッテリケース３０は、本体２０の所定位置に装着されると、内部に収納したバッテリ３８の電力を接続端子３２から本体２０の電極端子２４を介してプリント基板２２に供給する。
このように従来の外部バッテリ装置は、バッテリケースにバッテリを内蔵するとともに弾性力を備えたプラス接続端子及びマイナス接続端子をショートすることなく配置し、携帯電子機器の本体に設けた電極端子に圧接させることで効果的に接続してバッテリの電力を本体に供給していた。
【０００６】
【発明が解決しようとする課題】
しかしながら、従来の外部バッテリ装置では、図４に示したように、接続端子３２のショートを防止するために凸部３０ａ先端からの幅Ｆを大きく設定すると、携帯電子機器の本体２０に突出する電極端子２４の一端に加えられる接触圧が得られなくなり、本体２０とバッテリケース３０とを接触させた際の信頼性が低下するという不具合があった。
また、従来の外部バッテリ装置では、前述とは逆に、図４に示した幅Ｆを少なく設定すると、プラス接続端子３２ａ及びマイナス接続端子３２ｂの端子間でショートし易くなり、例えば、製造中の検査工程（いじわる試験）で不良を発生させて製造効率を低下させるとともに、バッテリケース３０を単体で持ち運ぶ際に安全性を完全に確保することが困難であるという不具合があった。
本発明はこのような課題を解決し、携帯電子機器の本体にバッテリの電力を安全で確実に供給でき、端子間のショートを防止する外部バッテリ装置を提供することを目的とする。
【０００７】
【課題を解決するための手段】
本発明は上述の課題を解決するために、携帯電子機器の本体に電力を供給するプラス端子及びマイナス端子からなる電極端子を設けるとともに本体に取り付け部材を用いて装着されて電極端子に圧接して内部に収納したバッテリの電力を供給するプラス接続端子及びマイナス接続端子からなる接続端子を有したバッテリケースを備える外部バッテリ装置において、プラス接続端子またはマイナス接続端子のいずれか一方或いは両方の接続端子は一端をバッテリケース内から外側に出没可能に装着するとともに取り付け部材を用いた本体への取り付け動作に伴って出没可能な接続端子がバッテリケースの外側に突出して本体の電極端子と圧接するように設け、接続端子は、プラス接続端子またはマイナス接続端子のいずれか一方の一端がバッテリケースの外側に出没可能に装着されて取り付けビスの締結によって埋没位置から突出位置に動作するように設け、他方の一端はバッテリケース内の外側近傍まで突出させた状態に配置する。
【０００８】
ここで、電極端子は、本体内から側面に配置するプラス端子またはマイナス端子のいずれか一方を突出させて他方を凹状に形成することでショートを防止することが好ましい。
【００１０】
【発明の実施の形態】
次に、添付図面を参照して本発明による外部バッテリ装置の実施の形態を詳細に説明する。図１は、本発明による外部バッテリ装置の実施の形態を示す構成図である。また、図２は、図１に示したＡ部の詳細を示す拡大図である。また、図３は、図１に示した本体１にバッテリケース１０を取り付けた状態を示す図である。
図１に示すように、本発明による外部バッテリ装置の実施の形態は、図４に示した従来技術と同様に、ＣＤ、ＭＤなどの媒体を再生する携帯電子機器に採用したものであり、所定面に電力を供給する電極端子４を配置した携帯電子機器の本体１と、この本体１に取り付けビス１４の締結により固定されて接続端子１２を介して内部に収納したバッテリ１８の電力を本体１の電極端子４に供給するバッテリケース１０とを備えている。
【００１１】
ここで、本体１は、内部に所定の回路を形成したプリント基板２を収納しており、このプリント基板２に外部から電力を供給する電極端子４を実装して外側に露出するように配置している。また、本体１には、電極端子４の近傍に取り付けビス１４と締結するナット６を配列するように配置している。この電極端子４は、図４に示した従来技術とは異なり、本体１の外側に向かって突出するプラス端子４ａと、内側に凹状に形成されたマイナス端子４ｂとを備えている。このように本体１の電極端子４は、プラス端子４ａを突出させてマイナス端子４ｂを凹状に形成することで、本体１側でのショートを防止している。また、電極端子４は、マイナス端子４ｂを凹状に形成することで、例えば、このマイナス端子４ｂに誤ってバッテリケース１０のプラス接続端子１２ａを挿入しても通電しないため、プラスとマイナスとが逆差しされることを効果的に防止することができる。
【００１２】
一方、バッテリケース１０には、図４に示した従来技術と同様に、所定面に突出する一対の凸部１０ａを一体に形成し、この凸部１０ａが本体１０の電極端子４に嵌入するように形成している。また、バッテリケース１０の内部には、本体１の電極端子４に電力を供給するバッテリ１８と、このバッテリ１８の両端に各々延在して電気的に接続する接続端子１２とを備えている。この接続端子１２は、バッテリ１８のプラス極１８ａ側に延在して電気的に接続するプラス接続端子１２ａと、このバッテリ１８のマイナス極１８ｂ側にコイル状に延在して付勢力によりバッテリ１８をプラス接続端子１２ａ側に押すマイナス接続端子１２ｂとを備えている。また、接続端子１２は、プラス接続端子１２ａ及びマイナス接続端子１２ｂの一端がバッテリ１８の両端から各々延在して凸部１０ａ内に突出するように配置している。そして、バッテリケース１０には、内側からマイナス接続端子１２ｂと側面とを介して外側に延在して突出する取り付けビス１４を設けてある。この取り付けビス１４は、本体１のナット６に締結することで、本体１にバッテリケース１０を装着し、電極端子４と接続端子１２とを接続した状態に固定することができる。
【００１３】
ここで、取り付けビス１４には、図４に示した従来技術とは異なり、マイナス接続端子１２ｂとの間にワッシャ１６を介在させている。また、接続端子１２のマイナス接続端子１２ｂは、取り付けビス１４の近傍で屈曲してバッテリケース１０の内側面との間に図１に示した幅Ｂを形成している。また、マイナス接続端子１２ｂは、図２に示すように、バッテリケース１０の内側面から幅Ｂを備えて延在し、凸部１０ａ内の図２に示した幅Ｃの位置まで一端が延在するように配置している。これによりマイナス接続端子１２ｂは、図２に示した幅Ｃにより凸部１０ａの先端でプラス接続端子１２ａと接触してショートすることを防止できる。また、マイナス接続端子１２ｂは、バッテリケース１０内で一端が凸部１０ａ内に配置されて弾性力により撓んで凸部１０ａの先端に出没可能に支持されている。即ち、マイナス接続端子１２ｂは、バッテリケース１０を本体１に装着する際に取り付けビス１４（図１参照）の締結動作に伴って、図２に示した矢印Ｄ方向に押されて凸部１０ａの先端に突出するように形成されている。
【００１４】
また、プラス接続端子１２ａは、マイナス接続端子１２ｂを図２に示した幅Ｃの位置に配置してショートを防止するため、図２に示した幅Ｅを少なく設定でき、凸部１０ａの先端まで突出させることが可能になる。従って、プラス接続端子１２ａは、図１に示したように、本体１にバッテリケース１０を装着した際、本体１のプラス端子４ａに最初に当接して一定の接触圧を加えることができる。
【００１５】
このような構成からなる本発明による外部バッテリ装置の実施の形態は、本体１の所定位置にバッテリケース１０を装着する場合、まず、図１に示したように、バッテリケース１０の取り付けビス１４及び凸部１０ａを、本体１のナット６及び電極端子４に各々合わせて本体１とバッテリケース１０とを装着する。この際、本体１のプラス端子４ａは、凸部１０ａの先端に弾性力を備えて突出したプラス接続端子１２ａに当接して押圧が加えられて圧接する。その後、バッテリケース１０は、取り付けビス１４を回転させて本体１のナット６に締結することで徐々に本体１側に引き寄せられて固定される。
【００１６】
この際、接続端子１２は、取り付けビス１４を本体１のナット６に締結した場合、取り付けビス１４がワッシャ１６を押し、このワッシャ１６によりマイナス接続端子１２ｂが押されて一端が凸部１０ａの先端側に突出する。また、接続端子１２は、バッテリケース１０とともに本体１側に引き寄せられ、図３に示すように、本体１０の電極端子４に所定の接触圧を加えて撓んだ状態で電気的に接続される。このようにバッテリケース１０は、本体１の所定位置に装着されると、内部に収納したバッテリ１８の電力を接続端子１２から本体１の電極端子４を介してプリント基板２に供給する。
【００１７】
以上、本発明による外部バッテリ装置の実施の形態を詳細に説明したが、本発明は前述した実施の形態に限定されるものではなく、その要旨を逸脱しない範囲で変更可能である。
例えば、取り付けビスをマイナス接続端子側に装着して凸部内から突出するように形成した実施の形態を説明したが、この取り付けビスがマイナス接続端子側のみに装着されることに限定されるものではなく、プラス接続端子側にも装着して両方の接続端子が取り付けビスの締結によって凸部内から突出するように形成してもよい。
【００１８】
【発明の効果】
このように本発明による外部バッテリ装置によれば、携帯電子機器の本体に装着した電極端子のマイナス端子またはプラス端子のいずれか一方、及びバッテリケースに装着した接続端子のマイナス接続端子またはプラス接続端子のいずれか一方が外部に突出しないように形成しているため、電極端子及び接続端子におけるショートの発生を防止できるとともに、単体で持ち運ぶ際の安全性を確保することができる。
また、本発明による外部バッテリ装置によれば、マイナス端子を凹状に形成して誤ってバッテリケースのプラス接続端子を挿入しても通電しない構造になっているため、端子間のショートを防止でき、プラスとマイナスとが逆差しされることを効果的に防止することができる。
【図面の簡単な説明】
【図１】本発明による外部バッテリ装置の実施の形態を示す構成図。
【図２】図２は、図１に示したＡ部の詳細を示す拡大図。
【図３】図１に示した本体にバッテリケースを取り付けた状態を示す図。
【図４】携帯電子機器に採用した従来の外部バッテリ装置を示す構成図。
【図５】図４に示した本体にバッテリケースを取り付けた状態を示す図。
【符号の説明】
１    本体
２    プリント基板
４    電極端子
４ａ  プラス端子
４ｂ  マイナス端子
６    ナット
１０    バッテリケース
１０ａ  凸部
１２    接続端子
１２ａ  プラス接続端子
１２ｂ  マイナス接続端子
１４    取り付けビス
１６    ワッシャ
１８    バッテリ
１８ａ  プラス極
１８ｂ  マイナス極
【図１】
0003690578.tif 000002
【図２】
0003690578.tif 000003
【図３】
0003690578.tif 000004
【図４】
0003690578.tif 000005
【図５】
0003690578.tif 000006